【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
帯状板の上辺面の両端がＲ面となるように下方に湾曲させ、その先端を上辺面の両端のＲ面とは逆方向に下方に湾曲させてＲ面が連続してＳ字状あるいは逆Ｓ字状になるように形成したのち、さらに先端を水平に延長して下辺面を形成したものを１ピッチとし、これを順に繰返し折り曲げ構成してなる板バネの下辺面のＲ面の起点から、上辺面を経て逆方向のＲ面の終点に至る等幅または不等幅のスリットを長さ方向に平行に設刻してなるスリット板バネ。
【請求項２】
請求項１に記載のスリット板バネの１ピッチを、その上辺面が互いに背中合わせになるように直交して重ね合わせ、その重ね合わせ部を接合してなるスリット板バネ。
【請求項３】
支柱の先端部側面に、請求項１または２に記載のスリット板バネの上辺面または下辺面を装着してなる耐震支柱。
【請求項４】
支柱の柱頭部に直線状またはＬ字状の腕木を水平に接合し、その側面もしくは側面と上面に請求項１または２に記載のスリット板バネの上辺面または下辺面を装着してなる耐震支柱。
【請求項５】
建築物の外壁外側の所定位置に請求項３または４に記載の耐震支柱を配設し、この耐震支柱に装着された前記スリット板バネを介在させて建築物の外壁面から柱材および／または敷桁に接合したのち、柱脚部を独立基礎に固定してなる建築物の耐震補強方式。
【請求項６】
建築物の基礎または基礎スラブ上に、請求項１または２に記載のスリット板バネの上辺面または下辺面を装着したのち、その上に土台、建築物等を構築してなる建築物の耐震補強方式。
【手続補正２】
【補正対象書類名】明細書
【補正対象項目名】０００４
【補正方法】変更
【補正の内容】
【０００４】
既設建築物のうち、１〜２階建て程度の低層建築物（以下、単に建築物と略称する場合がある）の倒壊を防ぐため、従来から採用されてきた方法の一つに、所謂つっかい棒を支う方法がある。これは建築物の１階屋外に頑丈な斜材や添え柱を設置して、ともかく倒壊を防止しようとする方法である。ところが、建築物の１階屋外につっかい棒を頑強に取付けた場合でも、地震初動時の上下振動には全く無力であって、その後に襲来する横揺れ振動に対しても、地震初動時にガタがきた１階の変形を急激に制限した場合のはずみ（慣性モーメント）で２階にかかる水平力がかえって大きくなり、２階が損壊して１階も倒壊する危険が生じる。
【手続補正３】
【補正対象書類名】明細書
【補正対象項目名】０００８
【補正方法】変更
【補正の内容】
【０００８】
（１−１）スリット板バネ
本発明者が以前に考案した板バネ（実公昭５４−３２１１０）は、重量機械の上下振動の吸収、減衰を主目的としていたため、上下方向（Ｚ軸）と直交する長辺方向（Ｘ軸）および短辺方向（Ｙ軸）の２軸方向の振動の吸収には配慮されていなかった。よって、本発明のスリット板バネは、その欠点を是正し、地震動のような３軸方向（Ｘ軸、Ｙ軸およびＺ軸）の地震振動を吸収、減衰できるように新たに開発された技術である。
図面により、本発明におけるスリット板バネの形態を具体的に説明する。
図１および図２において、スリット板バネＡは金属製または合成樹脂製の薄帯状板１を水平にし、上辺面２の両端がＲ面となるように下方に湾曲させ、その両端を上辺面２の両端のＲ面とは逆方向に下方に湾曲させてＲ面が連続してＳ字状あるいは逆Ｓ字状になるように形成したのち、さらに両端を若干水平に延長して下辺面３を形成するごとくして１ピッチとし、これを順に繰返し折り曲げ構成してなる板バネの下辺面３のＲ面の起点から、上辺面を経て逆方向のＲ面の終点に至る連続した等幅または不等幅の並列スリット４を長さ方向に平行に設刻してなるもので、必要に応じて、図２、図５のごとく、折り曲げ部の凹部の全部あるいは一部にゴム状弾性物質６を塗布または充填して用いることができる。
上記のスリット板バネＡの下辺面３を長辺方向に平行に載置したとき、長辺方向をＸ軸方向、短辺方向をＹ軸方向、上下方向をＺ軸方向とすると、前記した従来の板バネ（実公昭５４−３２１１０）は、主として鉛直荷重方向であるＺ軸方向の振動を吸収することが主目的であったため、地震動の鉛直成分には適応するものの、水平方向であるＸ軸方向およびＹ軸方向の振動を吸収、減衰するためには剛性を小さくする必要があった。
このため、板バネの下辺面３のＲ面の起点ｄから、上辺面２を経て逆方向のＲ面の終点ｄ’に至る平行なスリット４を設刻したスリット板バネＡとすることによって、Ｘ軸方向およびＹ軸方向の剛性を減少させ、地震動のような３軸方向（Ｘ軸、Ｙ軸およびＺ軸）の振動が吸収できるようになった。また、折り曲げ部の凹部の全部あるいは一部にゴム状弾性物質６を塗布または充填した場合は、スリット板バネＡが水平加力によって図１１（ｂ）、（ｃ）のように変形したとき、ゴム状弾性物質６の緩衝作用によって、Ｘ軸方向およびＹ軸方向の変形をさらに柔らかく吸収し、変形復元性が向上するようになる。
【手続補正４】
【補正対象書類名】明細書
【補正対象項目名】０００９
【補正方法】変更
【補正の内容】
【０００９】
スリット板バネＡに設刻されたスリット４の形状寸法としては、図３（ａ）に示すような等幅、等間隔の細めのスリット４や図３（ｂ）の太幅のスリット４あるいは図３（ｃ）のような両者が混在するスリット４があり、スリット幅はいずれも１〜５ｍｍ程度で、スリット４の間隔は５〜５０ｍｍ程度、また並列スリット４の設刻数はスリット４幅と間隔により２〜１０本である。
スリット板バネＡとして使用される帯状板１の材質および寸法は、それが金属製の場合は、バネ鋼、ステンレスバネ鋼等が好適に用いられ、その厚さは０．２〜１６ｍｍ、好ましくは０．６〜２．３ｍｍであり、その幅は２０〜２００ｍｍ、好ましくは５０〜１５０ｍｍである。また、それが合成樹脂製の場合は、エンジニアリング樹脂、ＦＲＰ等が好適に用いられ、その厚さおよび幅は前記金属製の場合と同等かやや厚めである。上記の材質および寸法によって構成されたスリット板バネＡの高さは、１０〜１００ｍｍ、好ましくは２０〜５０ｍｍである。
スリット板バネＡの製造に当たっては、帯状板１からなる板バネのスリット４を形成する部位に、図３（ａ）〜図３（ｃ）に示される形状、寸法のスリット４を予め設刻しておき、これを折り曲げて構成する。
また、図４に示されるように、１ピッチのスリット板バネＡの上辺面２同士を背中合わせに直交させて、重ね合せ部を接合してなる重合型のスリット板バネＢは、使用部位が狭小であったり、より小さなバネ定数を必要とするときに有効である。
【手続補正５】
【補正対象書類名】明細書
【補正対象項目名】００１１
【補正方法】変更
【補正の内容】
【００１１】
（１−２）耐震支柱
耐震支柱は金属製支柱７の先端部に、スリット板バネＡまたはＢを装着して、これを補強対象の建築物外壁外側に柱脚を剛に建てこんで、地震初動時、建築物を弾性支保するものである。
既設建築物の耐震補強に用いられる耐震支柱は、鋼管、角型鋼管、Ｈ型鋼等の鋼材あるいはアルミ合金製型材で、サイズはいずれも１００〜５００ｍｍの各種型材を使用する。
図６は、直立型の耐震支柱Ｃであって、補強対象とされる建築物の一階敷桁高さを有する支柱７の先端部側面に接続金物としてスペーサー９を接合し、これにスリット板バネＡの上辺面２または下辺面３を装着したものである。スペーサー９は金属製型材または鋼板製で、図６に示されるような縦長のスペーサー９か図９に示されるような横長のスペーサー９を装着することが可能である。
図７は、直線状の腕木１０を有する耐震支柱Ｄを示すもので、支柱７の柱頭部かその側面に腕木１０を接合し、腕木１０の建築物外壁側の側面かあるいは側面と上面にスリット板バネＡを装着したものである。
耐震支柱Ｄを建築物の隅角部に取付ける場合は、Ｌ字状の腕木１０を水平に支柱７の柱頭部に接合してなる耐震支柱Ｄを、建築物外壁の隅角部に建柱し、外壁外側にＬ字状腕木１０が接するようにスリット板バネＡの上辺面２または下辺面３を介して接合する。
図８は、支柱７を斜材として用い、その先端にスペーサー９を介してガセットプレートを接合し、これに重合型のスリット板バネＢを装着した耐震支柱Ｅを示したものである。
また、建築物の布基礎フーチング幅が大きい場合、独立基礎１２を建築物から離して独立させるため、耐震支柱Ｃ、Ｄ、Ｅの支柱７のみを図８のように斜材として立柱することも可能である。
上述したように、本発明における耐震支柱は、建築物の構造や取付け部位によって、腕木１０の形状を変えたり、スリット板バネＡのピッチ数や取付け方向を選定して装着しうるものであり、また建築物の立地条件によって変わる独立基礎１２の位置に合わせた構成を有するものを任意に用いることができる。
なお、スリット板バネＡを耐震支柱Ｃ、Ｄ、Ｅに使用する場合、ゴム状弾性物質６を省くこともできる。
【手続補正６】
【補正対象書類名】明細書
【補正対象項目名】００２４
【補正方法】変更
【補正の内容】
【００２４】
【図１】スリット板バネＡの斜視図
【図２】スリット板バネＡの縦断面図
【図３】スリット板バネＡのＸ−Ｘ’断面図
【図４】スリット板バネＢの斜視図
【図５】ゴム状弾性物質６充填部縦断面図
【図６】耐震支柱Ｃの斜視図
【図７】耐震支柱Ｄの斜視図
【図８】耐震支柱Ｅの斜視図
【図９】耐震支柱取付部矩形図
【図１０】スリット板バネＡによる耐震補強方式斜視図
【図１１】スリット板バネＡ変形図
【図１２】架構変位図
【図１３】横架ダンパーＧ取付部およびＹ−Ｙ’断面図